(57)【要約】【課題】燃料支持金具に備えられたデブリフィルタの圧力損失を測定すると共に、デブリフィルタの外観的な検査を実施すること。【解決手段】原子炉内の炉心支持板６に取付けられた燃料支持金具１０の冷却材入口孔１４に設けられたデブリフィルタ検査装置２０は、燃料支持金具１０の開口部１６に係合され燃料支持金具１０の開口部１６からの冷却材ａを導入する長尺状の導入管２１と、この導入管２１に設けられ導入管２１内部の圧力を測定する圧力計３１と、導入管２１内の冷却材ａの流量を計測するベンチュリ管２２と、中空の回転軸を有する羽根車５１を備え原子炉内の下部プレナム１３からの冷却材ａを燃料支持金具１０から導入管２１を介して汲み上げる軸流型ポンプ２３とを有する。【選択図】  図１
2005156245.tif 000002
【特許請求の範囲】
【請求項１】
原子炉内の炉心支持板に取付けられた燃料支持金具の冷却材入口孔に設けられたデブリフィルタ検査装置において、
前記燃料支持金具の開口部に係合され、前記燃料支持金具の開口部からの冷却材を導入する長尺状の導入管と、
前記導入管に設けられ、当該導入管内部の圧力を測定する管内圧力測定機構と、
前記導入管内の冷却材の流量を計測する流量計測機構と、
中空の回転軸を有する羽根車を備え、原子炉内の下部プレナムからの冷却材を前記燃料支持金具から前記導入管を介して汲み上げるポンプと、
前記回転軸の中空部分を貫通して前記導入管内に設けられる外観検査手段とを有することを特徴とするデブリフィルタ検査装置。
【請求項２】
前記回転軸の中空部分には、回転しない非回転間管が設けられるとともに、前記外観検査手段は当該非回転管を貫通して設けたことを特徴とする請求項１に記載のデブリフィルタ検査方法。
【請求項３】
前記外観検査手段は、前記デブリフィルタ付近まで延長可能に挿入されるとともに、その先端部に略水平に向けられた水中カメラ及び水中ライトを備えたことを特徴とする請求項１又は２に記載のデブリフィルタ検査方法。
【請求項４】
前記外観検査手段の先端には、導入管の管軸方向に向けられた水中カメラ及び水中ライトを備えたことを特徴とする請求項１又は２に記載のデブリフィルタ検査方法。
【請求項５】
原子炉内の炉心支持板に取付けられた燃料支持金具の冷却材入口孔に設けられたデブリフィルタ検査方法において、
管内圧力測定手段を有する導入管の一端を前記燃料支持金具の上部に設けられた開口部に係合させる工程と、
前記導入管の他端に設けられ、中空の回転軸を備える羽根車を有するポンプを作動させて前記冷却材入口孔から前記導入管内に冷却材を一定の流量で通流させる工程と、
前記管内圧力測定手段により前記導入管内の圧力を測定する工程と、
外観検査手段を前記回転軸の中空部分を貫通するように前記導入管内に挿入して前記デブリフィルタ付近まで延長して前記デブリフィルタを目視により検査する工程とを有することを特徴とするデブリフィルタ検査方法。
【請求項６】
原子炉内の炉心支持板に取付けられた燃料支持金具の冷却材入口孔に設けられたデブリフィルタ検査方法において、
中空の回転軸を備える羽根車を有するポンプに接続されるとともに、管内圧力測定手段を有する導入管の一端を、前記回転軸の中空部分に貫通し前記導入管の管軸方向を向く外観検査手段により目視することで前記燃料支持金具の上部に設けられた開口部に位置決めして係合させる工程と、
前記導入管の他端に設けられ、中空の回転軸を備える羽根車を有するポンプを作動させて前記冷却材入口孔から前記導入管内に冷却材を一定の流量で通流させる工程と、
前記管内圧力測定手段により前記導入管内の圧力を測定する工程とを有することを特徴とするデブリフィルタ検査方法。
【発明の詳細な説明】
【技術分野】
【０００１】
本発明は、原子炉内設置の燃料支持金具に取付けられるデブリフィルタの異物濾過技術に係り、特に、圧力測定による定量的な検査と外観的な検査とを実施するデブリフィルタ検査装置及び検査方法に関する。
【背景技術】
【０００２】
原子炉の運転に関連した問題の１つに、種々の寸法の異物が燃料集合体内に堆積することが挙げられる。異物は、原子炉建設時、運転時及び点検時に発生したり残されるもので、例えば、小さなボルト、ナット、割ピン、金属クリップ、溶接スラグ、及びワイヤ片等である。
【０００３】
原子炉運転時、原子炉内及び１次冷却系に存在する異物は冷却材（炉水）によって運ばれ、燃料集合体に混入し、燃料集合体の構成要素である燃料棒や燃料スペーサを損傷させる可能性がある。特に、異物としてのワイヤ片については、冷却材の流れにより振動して燃料被覆管を磨耗させ、燃料損傷に至る場合がある。
【０００４】
図４は、デブリフィルタ付きの燃料支持金具を示す概略図である。
【０００５】
図４は、燃料支持金具１０を示し、この燃料支持金具１０は、原子炉運転時において、４体１組となった燃料集合体６０の荷重を支えるため、炉心支持板６に取付けられる。炉心支持板６に支持された燃料支持金具１０の開口部１６は４個設けられており、原子炉運転時、４個の開口部１６のそれぞれに燃料集合体６０の下部タイプレート６１が係合支持される。
【０００６】
燃料支持金具１０の冷却材入口孔１４には、異物フィルタ機能を有するデブリフィルタ１９が備えられる（特許文献１参照。）。原子炉運転中の異物の混入を防ぐために、デブリフィルタ１９の濾過穴は、異物より小さく設計される。さらに、デブリフィルタ１９の濾過穴は、冷却材ａの導入方向を屈折させるように設計される。原子炉運転中、原子炉内の下部プレナム１３からの冷却材ａは、燃料支持金具１０の冷却材入口孔１４に備えるデブリフィルタ１９を通過し、冷却材流路１５を経由して開口部１６から燃料集合体６０に供給される。
【０００７】
従来の燃料支持金具１０によると、冷却材ａに混入している異物は、デブリフィルタ１９によって濾過されるので、燃料支持金具１０に備える冷却材流路１５の冷却材ａには殆ど異物が含まれていない。よって、燃料集合体には異物を殆ど含まない冷却材ａが供給される。
【特許文献１】特開２００３−１２１５７９号公報（第３頁−第４頁、図１）
【発明の開示】
【発明が解決しようとする課題】
【０００８】
デブリフィルタ１９付きの燃料支持金具１０を利用して原子炉の運転を行うと、時系列の推移と共にデブリフィルタ１９の圧力損失が少しずつ上昇する。圧力損失の上昇は、時系列の推移と共にデブリフィルタ１９に異物が堆積するためである。デブリフィルタ１９の圧力損失が大きくなると、原子炉運転中の炉心流量が減少する。このため、デブリフィルタ１９の圧力損失を定量的に測定する必要がある。また、デブリフィルタ１９の異物の堆積状況を外観的に検査するというニーズもある。
【０００９】
デブリフィルタ１９付きの燃料支持金具１０の技術は近年新しいものであるので、デブリフィルタ１９内部の異物の堆積状況を直接的又は間接的に評価できる検査装置及び検査方法はまだ確立されていない。
【００１０】
本発明は、上述した事情を考慮してなされたもので、原子炉の定期点検時、燃料支持金具に備えられたデブリフィルタの圧力損失を測定できると共に、デブリフィルタの外観的な検査を実施できるデブリフィルタ検査装置及び検査方法を提供することを目的とする。
【００１１】
また、本発明の他の目的は、原子炉の定期点検時、所要の区画格子内にデブリフィルタ検査装置を円滑に誘導できるデブリフィルタ検査装置及び検査方法を提供することにある。
【課題を解決するための手段】
【００１２】
本発明に係るデブリフィルタ検査装置は、上述した課題を解決するために、原子炉内の炉心支持板に取付けられた燃料支持金具の冷却材入口孔に設けられたデブリフィルタ検査装置において、前記燃料支持金具の開口部に係合され、前記燃料支持金具の開口部からの冷却材を導入する長尺状の導入管と、前記導入管に設けられ、当該導入管内部の圧力を測定する管内圧力測定機構と、前記導入管内の冷却材の流量を計測する流量計測機構と、中空の回転軸を有する羽根車を備え、原子炉内の下部プレナムからの冷却材を前記燃料支持金具から前記導入管を介して汲み上げるポンプと、前記回転軸の中空部分を貫通して前記導入管内に設けられる外観検査手段とを有する。
【００１３】
また、本発明に係るデブリフィルタ検査方法は、上述した課題を解決するために、原子炉内の炉心支持板に取付けられた燃料支持金具の冷却材入口孔に設けられたデブリフィルタ検査方法において、管内圧力測定手段を有する導入管の一端を前記燃料支持金具の上部に設けられた開口部に係合させる工程と、前記導入管の他端に設けられ、中空の回転軸を備える羽根車を有するポンプを作動させて前記冷却材入口孔から前記導入管内に冷却材を一定の流量で通流させる工程と、前記管内圧力測定手段により前記導入管内の圧力を測定する工程と、外観検査手段を前記回転軸の中空部分を貫通するように前記導入管内に挿入して前記デブリフィルタ付近まで延長して前記デブリフィルタを目視により検査する工程とを有する。
【００１４】
さらに、本発明に係るデブリフィルタ検査方法は、原子炉内の炉心支持板に取付けられた燃料支持金具の冷却材入口孔に設けられたデブリフィルタ検査方法において、中空の回転軸を備える羽根車を有するポンプに接続されるとともに、管内圧力測定手段を有する導入管の一端を、前記回転軸の中空部分に貫通し前記導入管の管軸方向を向く外観検査手段により目視することで前記燃料支持金具の上部に設けられた開口部に位置決めして係合させる工程と、前記導入管の他端に設けられ、中空の回転軸を備える羽根車を有するポンプを作動させて前記冷却材入口孔から前記導入管内に冷却材を一定の流量で通流させる工程と、前記管内圧力測定手段により前記導入管内の圧力を測定する工程とを有する。
【発明の効果】
【００１５】
本発明のデブリフィルタ検査装置及び検査方法によると、原子炉の定期点検時、燃料支持金具に備えられたデブリフィルタの圧力損失を測定できると共に、デブリフィルタの外観的な検査を実施できる。
【００１６】
また、本発明のデブリフィルタ検査装置及び検査方法によると、原子炉の定期点検時、所要の区画格子内にデブリフィルタ検査装置を円滑に誘導できる。
【発明を実施するための最良の形態】
【００１７】
以下、本発明に係るデブリフィルタ検査装置及び検査方法の実施の形態について、添付図面を参照して説明する。
【００１８】
図１は、本発明に係るデブリフィルタ検査装置の第１実施の形態を示す断面図である。
【００１９】
図１は、原子炉の炉心部に備えられる上部格子板５及び炉心支持板６を示し、この炉心支持板６に燃料集合体（図示しない）を支持する燃料支持金具１０が取付けられる。この燃料支持金具１０は、４体１組となった燃料集合体の下部を支持するものである。燃料支持金具１０は、炉心支持板６に取付けられ、炉心支持板６の下方に設けられた制御棒案内管１１と対向している。
【００２０】
燃料支持金具１０は、原子炉内の下部プレナム１３の冷却材（炉水）ａを燃料支持金具１０内部に導入する冷却材入口孔１４と、この冷却材入口孔１４からの冷却材ａを案内する冷却材流路１５と、冷却材ａを燃料集合体の下部に導入する開口部１６と、燃料集合体の下部タイプレート（図示しない）の外周面が接されるシート面１７とを有する。燃料支持金具１０の開口部１６は４個設けられており、原子炉運転時、４個の開口部１６のそれぞれに燃料集合体の下部タイプレートが係合支持される。
【００２１】
冷却材入口孔１４にはデブリフィルタ１９が備えられ、このデブリフィルタ１９は、原子炉内の下部プレナム１３からの冷却材ａを燃料支持金具１０内に導入する際、冷却材ａに含まれる異物を燃料支持金具１０内部に進入させないような濾過性能を有する。
【００２２】
また、原子炉の定期点検時には、炉心部に装架される燃料集合体に代えて、４個の開口部１６のうちの１個の開口部１６にデブリフィルタ検査装置２０が設けられる。このデブリフィルタ検査装置２０は、原子炉の定期点検時において、燃料支持金具１０の開口部１６に支持され開口部１６からの冷却材ａを導入する長尺状の導入管２１と、この導入管２１内の冷却材ａの流量を計測する流量計測機構、例えばベンチュリ管２２と、原子炉内の下部プレナムの冷却材ａを汲み上げて燃料支持金具１０から導入管２１、ベンチュリ管２２を介して原子炉内に吐出するポンプ、例えば軸流型ポンプ２３とをそれぞれ有する。なお、流量計測機構は、ベンチュリ管２２に限定されるものではなく、例えばオリフィス，Ｖコーン等を利用して差圧を発生させるものでもよい。また、ポンプは、軸流型ポンプ２３に限定されるものではなく、例えば遠心型ポンプ，斜流型ポンプ等を利用してもよい。
【００２３】
また、デブリフィルタ検査装置２０の上部には、サポート２５が設置される。このサポート２５は、上部格子板５に係着させることができ、これによりデブリフィルタ検査装置２０の下部が燃料支持金具１０の開口部１６と係合する位置となるように構成されている。上部格子板５は、ステンレス鋼の板状のはりを互いに直角に格子状に組み合わせたもので、炉心シュラウド上部に固定され、原子炉運転時において燃料集合体を水平方向に振れどめ支持をしている。
【００２４】
導入管２１には管内圧力測定機構、例えば圧力計３１が設けられる。なお、ベンチュリ管２２には流量を計測するために管内圧力差測定機構、例えばベンチュリ管２２の入口部の圧力計３１ａとベンチュリ管２２のノズル部の圧力計３１ｂが設けられる。
【００２５】
軸流型ポンプ２３には、ベンチュリ管２２からの冷却材ａを原子炉内に吐出する吐出口３５が具備される。
【００２６】
図２は、軸流型ポンプ２３を示す断面図である。
【００２７】
図２（ａ），（ｂ）は、図１に示されたデブリフィルタ検査装置２０の軸流型ポンプ２３を示す部分的な拡大断面図である。図２（ａ），（ｂ）に示すように軸流型ポンプ２３は、モータ部３６及びポンプ部３７から構成され、モータ部３６は、ガイド４０を介してポンプ部３７の内ケーシングに支持される。
【００２８】
モータ部３６には、ステータ３８とロータ３９とが配設される。ロータ３９はモータ回転軸４１に支持されており、モータ回転軸４１は、ラジアルベアリング４４，４５によって回転支承されている。ステータ３８とロータ３９とは、モータケーシング４７に把持される。
【００２９】
ポンプ部３７には、モータ回転軸４１の下端と、例えばフランジ接続されモータ回転軸４１と一体となって軸回転する羽根車（インペラ）５１が設けられる。
【００３０】
ここで、モータ回転軸４１及び羽根車５１の軸は中空であり、中空のモータ回転軸４１及び羽根車５１の軸内部には、軸方向に非回転管５３が貫通される。この非回転管５３は、非回転管５３上部のフランジ部５３ａにてモータケーシング４７の上部に支持され、非回転管５３の上部開口部には開閉自在な封水機構、例えばバルブ５５が設けられる。
【００３１】
すなわち、デブリフィルタ検査装置２０外部から非回転管５３内部を介してデブリフィルタ検査装置２０内部に外観検査手段、例えば検査棒５６を挿入できるようになっている。図２（ｂ）に示される検査棒５６は、その下端付近が可撓性となっており、その下端付近に、ほぼ棒軸直角方向に向けられた水中カメラ５７及び水中ライト５８を有する。デブリフィルタ検査装置２０内部に貫通するように挿入された検査棒５６は、棒軸方向，棒軸回転方向に走査可能とする。
【００３２】
次いで、デブリフィルタ検査装置２０の動作について説明する。
【００３３】
まず、原子炉の定期点検時において、例えばクレーンよって吊られたデブリフィルタ検査装置２０が上方から上部格子板５に囲われる１つの区画格子内に吊り下ろされる。吊り下ろされたデブリフィルタ検査装置２０は、図１に示されるように、デブリフィルタ検査装置２０に設置されるサポート２５によって上部格子板５に係着される。サポート２５が上部格子板５に係着されると、デブリフィルタ検査装置２０が燃料支持金具１０の４個の開口部１６のうち１個の開口部１６に係合される。
【００３４】
続いて、軸流型ポンプ２３を作動させると、図１に示されるように、原子炉内の下部プレナム１３からの冷却材ａは、燃料支持金具１０の冷却材入口孔１４に備えるデブリフィルタ１９を通過して燃料支持金具１０内部の冷却材流路１５に導入される。冷却材流路１５に導入された冷却材ａは、冷却材流路１５からデブリフィルタ検査装置２０の導入管２１に導入され、ベンチュリ管２２を介して、軸流型ポンプ２３の吐出口３５から吐出される。デブリフィルタ検査装置２０内部を通流する冷却材ａの流量が一定量となるように、ベンチュリ管２２によって軸流型ポンプ２３の作動制御を行なう。
【００３５】
例えば、ベンチュリ管２２の入口部の圧力計３１ａと、ノズル部の圧力計３１ｂとの圧力から圧力差を測定し、この圧力差が差圧信号としてパソコン（図示しない）に送信される。パソコンにて、差圧信号から冷却材ａの流量が求められ、この流量を一定量にするための電圧信号が軸流型ポンプ２３に送信される。軸流型ポンプ２３は、電圧信号によって作動制御される。
【００３６】
デブリフィルタ検査装置２０内部を通過する冷却材ａの流量が一定量に維持され、導入管２１に設けられる圧力計３１にて導入管２１内部の圧力が測定されることにより、デブリフィルタ１９の圧力を測定することができる。また、定期点検毎に、圧力計３１にて導入管２１内部の圧力が測定されることにより、デブリフィルタ１９の圧力損失の増加を測定することができる。
【００３７】
ここで、図２（ｂ）に示すように、軸流型ポンプ２３の動作を停止してバルブ５５が開かれる。デブリフィルタ検査装置２０外部から非回転管５３内部を介してデブリフィルタ検査装置２０内部に外観検査手段、例えば検査棒５６を挿入する。検査棒５６の下端は燃料支持金具１０のデブリフィルタ１９付近まで下ろされ、可撓性のある検査棒５６の下端付近はデブリフィルタ１９と対向される。そして、検査棒５６の下端に有するほぼ棒軸直角方向に向けられた水中ライト５８によって照明されたデブリフィルタ１９の異物堆積状況を、ほぼ棒軸直角方向に向けられた水中カメラ５７によって撮影して画像又は映像を得る。すなわち、検査棒５６によるデブリフィルタ１９の外観検査が可能となる。
【００３８】
さらに、燃料支持金具１０の１個の開口部１６から外観検査を行なった後、デブリフィルタ検査装置２０から検査棒５６を抜き出し、バルブ５５を閉じる。そしてデブリフィルタ検査装置２０をクレーンで上方に吊り上げて、デブリフィルタ検査装置２０を９０度，１８０度，２７０度回動させる。ここで、上部格子板５は、上部格子板５にて囲われる区画格子内の中心の真下に燃料支持金具１０の中心が位置するように配置されており、また、燃料支持金具１０の開口部１６は燃料支持金具１０の中心に対し対称な位置に４個設けられているため、上述のようにデブリフィルタ検査装置２０を回動させて再び上部格子板５に囲われる区画格子内に吊り下ろせば、サポート２５が区画格子内に係着され、同一の燃料支持金具１０の他の３個の開口部１６にデブリフィルタ検査装置２０の下部を順次係合させることができる。なお、デブリフィルタ検査装置２０の吊り下ろし作業は、導入管２１が鉛直方向を向くように行なうとよく、このためにサポート２５に適宜バランスウエイトを装着することも可能である。そして、上述と同様な手順によって同一の燃料支持金具１０の他の３個の開口部１６についてもデブリフィルタ１９の圧力損失の増加を測定する。続いて、バルブ５５を開きデブリフィルタ検査装置２０に検査棒５６を挿入してデブリフィルタ１９の外観検査を実施する。
【００３９】
加えて、燃料支持金具１０に設けられる４個の開口部１６から外観検査を行なった後、デブリフィルタ検査装置２０から検査棒５６を抜き出し、バルブ５５を閉じる。デブリフィルタ検査装置２０をクレーンで上方に吊り上げて、デブリフィルタ検査装置２０を上部格子板５に囲われる他の区画格子内に吊り下ろす。デブリフィルタ検査装置２０を他の燃料支持金具１０の開口部に係合させる。デブリフィルタ検査装置２０を動作させることによって、原子炉内に設置される全ての燃料支持金具１０の開口部１６について、デブリフィルタ１９の圧力損失の増加を測定する。続いて、バルブ５５を開きデブリフィルタ検査装置２０に検査棒５６を挿入してデブリフィルタ１９の外観検査を実施する。
【００４０】
図１に示されたデブリフィルタ検査装置２０によると、原子炉の定期点検時、燃料支持金具１０に備えられたデブリフィルタ１９の圧力損失を測定できると共に、検査棒５６に有する水中カメラ５７の画像又は映像によってデブリフィルタ１９の外観的な検査を実施できる。
【００４１】
なお、デブリフィルタ検査装置２０に有する導入管２１と、燃料支持金具１０の開口部１６との接面の密接性能を向上させるような手段を講じてもよい。例えば、導入管２１と開口部１６とをパッキンを介して液密に密接させる。
【００４２】
図３は、本発明に係るデブリフィルタ検査装置の第２実施の形態を示し、軸流型ポンプを示す断面図である。
【００４３】
図３は、デブリフィルタ検査装置２０Ａを示し、図１に示されたデブリフィルタ検査装置２０に備える軸流型ポンプ２３の部分的な拡大断面図を示す。
【００４４】
非回転管５３の下端部には、少なくとも下面が透明な材料からなる下端支持具５９が接続され、下端支持具５９内部に、下方に向けられた水中カメラ５７ａ及び水中ライト５８ａがそれぞれ設置される。下端支持具５９が燃料支持金具１０付近になるように、非回転管５３の下端が燃料支持金具１０付近まで長尺状に伸ばされることが望ましい。
【００４５】
なお、図３に示されたデブリフィルタ検査装置２０Ａにおいて、図２に示されたデブリフィルタ検査装置２０と同一の部分には同一符号を付して説明を省略する。
【００４６】
次いで、デブリフィルタ検査装置２０Ａの動作について説明する。
【００４７】
まず、原子炉の定期点検時において、例えばクレーンよって吊られたデブリフィルタ検査装置２０Ａが上方から上部格子板５に囲われる１つの区画格子内に吊り下げられる際、下端支持具５９内部に設置された水中ライト５８ａによってデブリフィルタ検査装置２０Ａの下方周辺を照明させる。照明されたデブリフィルタ検査装置２０Ａの下方周辺を水中カメラ５７ａの映像を観ながら、デブリフィルタ検査装置２０Ａが所要の区画格子内に誘導される。そして、デブリフィルタ検査装置２０Ａが上方から上部格子板５に囲われる１つの区画格子内に吊り下ろされる。吊り下ろされたデブリフィルタ検査装置２０Ａは、デブリフィルタ検査装置２０Ａに備えるサポート２５によって上部格子板５に係着される。
【００４８】
次いで、図１に示されたデブリフィルタ検査装置２０と同様の動作によって、デブリフィルタ１９の圧力測定を行なう。
【００４９】
図３に示されたデブリフィルタ検査装置２０Ａによると、原子炉の定期点検時、上部格子板５に囲われる１つの区画格子内にデブリフィルタ検査装置２０Ａを円滑に誘導できる。
【００５０】
なお、デブリフィルタ検査装置２０Ａにおいて、非回転管５３の下端部の下端支持具５９内部に設置された水中カメラ５７ａ及び水中ライト５８ａにて得られる映像によってデブリフィルタ検査装置２０Ａを誘導させたが、図１に示されたデブリフィルタ検査装置２０の検査棒５６の下端付近に、下方に向けられた水中カメラ５７ａ及び水中ライト５８ａを有してもよい。この場合、水中カメラ５７，５７ａ及び水中ライト５８，５８ａを有する検査棒５６によって、デブリフィルタ検査装置２０Ａが所要の区画格子内に円滑に誘導され、かつ、デブリフィルタ１９の圧力測定と外観検査とが実施できる。
【図面の簡単な説明】
【００５１】
【図１】本発明に係るデブリフィルタ検査装置の第１実施の形態を示す断面図。
【図２】（ａ），（ｂ）は軸流型ポンプを示す断面図。
【図３】本発明に係るデブリフィルタ検査装置の第２実施の形態を示し、軸流型ポンプを示す断面図。
【図４】デブリフィルタ付きの燃料支持金具を示す概略図。
【符号の説明】
【００５２】
５  上部格子板
６  炉心支持板
１０  燃料支持金具
１３  下部プレナム
１４  冷却材入口孔
１５  冷却材流路
１６  開口部
１７  シート面
１９  デブリフィルタ
２０，２０Ａ  デブリフィルタ検査装置
２１  導入管
２２  ベンチュリ管
２３  軸流型ポンプ
２５  サポート
３１，３１ａ，３１ｂ  圧力計
３５  吐出口
５１  羽根車
５３  非回転管
５５  バルブ
５６  検査棒
５７，５７ａ  水中カメラ
５８，５８ａ  水中ライト
５９  下端支持具
【図１】
2005156245.tif 000003
【図２】
2005156245.tif 000004
【図３】
2005156245.tif 000005
【図４】
2005156245.tif 000006